【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
下記：
顔料を10〜60重量%、
グリコールベースの溶媒を15〜85重量%、
界面活性剤を5〜25重量%、および
通例の添加剤を0〜10重量%、
パーセンテージは、顔料製剤の総重量を基準にする
含む顔料製剤をアクリロニトリルポリマーまたはコポリマーの溶液中に組み込む、ポリアクリロニトリルをマス染色（原液染め）する方法。
【請求項２】
染色されたポリアクリロニトリルマスの重量を基準にして、2〜20重量%の量の顔料製剤を組み込む、請求項1記載の方法。
【請求項３】
アクリロニトリルポリマーまたはコポリマーと顔料製剤との混合物を浴の中に押し出してすでに着色されたポリアクリロニトリル繊維を得る、請求項1または2記載の方法。
【請求項４】
グリコールベースの溶媒が、下記：エチレングリコール、プロピレングリコール、ジエチレングリコール、ジプロピレングリコール、ブチレングリコール、トリエチレングリコール、ポリエチレングリコール、アルファ-メチル-オメガ-ヒドロキシ-ポリエチレングリコールエーテル、ジメチルポリエチレングリコールエーテル、ポリプロピレングリコール、ジメチルポリプロピレングリコールエーテル、ならびにエチレングリコールおよびプロピレングリコールのコポリマーからなる群より選ぶグリコール系化合物を含む、請求項1〜3のいずれか一に記載の方法。
【請求項５】
顔料が、モノアゾ、ジスアゾ、レーキアゾ、β-ナフトール、ナフトール AS、ベンズイミダゾロン、ジスアゾ縮合物、およびアゾ金属錯体顔料、フタロシアニン、キナクリドン、ペリレン、ペリノン、チオインジゴ、アンタントロン、アントラキノン、フラバントロン、インダントロン、イソビオラントロン、ピラントロン、ジオキサジン、キノフタロン、イソインドリノン、イソインドリン、およびジケトピロロピロール顔料、ならびに酸性〜アルカリ性カーボンブラックからなる群より選ぶ有機顔料である、請求項1〜4のいずれか一に記載の方法。
【請求項６】
顔料が、二酸化チタン、硫化亜鉛、酸化亜鉛、酸化鉄、酸化マンガン鉄、酸化クロム、群青、ニッケルまたはクロムアンチモンチタン酸化物、酸化コバルト,コバルトおよびアルミニウムの混合酸化物、ルチル混合相顔料、希土類の硫化物、バナジン酸ビスマス、および体質顔料からなる群より選ぶ無機顔料である、請求項1〜4のいずれか一に記載の方法。
【請求項７】
下記：
顔料を10〜60重量%,
ポリプロピレングリコールを15〜85重量%、
界面活性剤を5〜25重量%、および
通例の添加剤を0〜10重量%、
パーセンテージは、顔料製剤の総重量を基準にする
含む顔料製剤。
【請求項８】
下記：
顔料を10〜60重量%,
ポリプロピレングリコールを15〜85重量%、
界面活性剤を5〜25重量%、および
増粘剤、保存料、殺生物剤、粘度安定剤、乳化剤、粉砕助剤、充填剤、ヒドロトロープ性保持剤、沈降防止剤、光安定剤、酸化防止剤、脱蔵剤、消泡剤、気泡減少剤、固化防止剤およびレオロジー向上剤からなる群より選ぶ通例の添加剤を0〜10重量%、
パーセンテージは、顔料製剤の総重量を基準にする
からなる、請求項7記載の顔料製剤。
【請求項９】
顔料を、C.I. Pigment Black 7, C.I. Pigment Blue 15:3, C.I. Pigment Green 7, C.I. Pigment Yellow 213, およびC.I. Pigment Red 254からなる群より選ぶ、請求項7または8記載の顔料製剤。
【請求項１０】
粉末または顆粒の形態の顔料をポリプロピレングリコールおよび界面活性剤に分散させ、そして場合により、粒度が1μm未満に達するまで微粉砕し、そして場合により更なる通例の添加剤に混入することを含む、請求項7〜9のいずれか一に記載の顔料製剤を製造する方法。
【手続補正２】
【補正対象書類名】明細書
【補正対象項目名】００２１
【補正方法】変更
【補正の内容】
【００２１】
本発明において採用すべき顔料は、微粉化した有機もしくは無機顔料または種々の有機および／または無機顔料の混合物である。適した有機顔料は、例えば、モノアゾ、ジスアゾ、レーキ(laked)アゾ、β-ナフトール、ナフトール AS、ベンズイミダゾロン、ジスアゾ縮合物、およびアゾ金属錯体顔料、および多環式顔料、例えば、フタロシアニン、キナクリドン、ペリレン、ペリノン、チオインジゴ、アンタントロン、アントラキノン、フラバントロン、インダントロン、イソビオラントロン、ピラントロン、ジオキサジン、キノフタロン、イソインドリノン、イソインドリン、およびジケトピロロピロール顔料のようなもの、またはファーネスブラックおよびガスブラックからなる群よりの酸性〜アルカリ性カーボンブラックを含む。
【手続補正３】
【補正対象書類名】明細書
【補正対象項目名】００２３
【補正方法】変更
【補正の内容】
【００２３】
特に好適な有機顔料の典型的な選択として、下記を挙げることができる：ガスブラックまたはファーネスブラックのようなカーボンブラック顔料；モノアゾおよびジスアゾ顔料、特に、Colour Index 顔料 Pigment Yellow 81, Pigment Yellow 83, Pigment Yellow 87, Pigment Yellow 97, Pigment Yellow 111, Pigment Yellow 126, Pigment Yellow 127, Pigment Yellow 128, Pigment Yellow 155, Pigment Yellow 174, Pigment Yellow 176, Pigment Yellow 191, Pigment Yellow 213, Pigment Yellow 214, Pigment Red 38, Pigment Red 144, Pigment Red 214, Pigment Red 242, Pigment Red 262, Pigment Red 266, Pigment Red 269, Pigment Red 274, Pigment Orange 13, Pigment Orange 34またはPigment Brown 41; β-ナフトールおよびナフトール AS 顔料、特に、Colour Index 顔料 Pigment Red 112, Pigment Red 146, Pigment Red 147, Pigment Red 170, Pigment Red 184, Pigment Red 187, Pigment Red 188, Pigment Red 210, Pigment Red 247, Pigment Red 253, Pigment Red 256, Pigment Orange 5, Pigment Orange 38 または Pigment Brown 1; レーキアゾおよび金属錯体顔料、特に、Colour Index 顔料 Pigment Red 257, Pigment Orange 68 またはPigment Orange 70; ベンズイミダゾリン顔料、特に、Colour Index 顔料 Pigment Yellow 120, Pigment Yellow 151, Pigment Yellow 154, Pigment Yellow 175, Pigment Yellow 180, Pigment Yellow 181, Pigment Yellow 194, Pigment Red 175, Pigment Red 176, Pigment Red 185, Pigment Red 208, Pigment Violet 32, Pigment Orange 36, Pigment Orange 62, Pigment Orange 72 または Pigment Brown 25; イソインドリノンおよびイソインドリン顔料、特に、Colour Index 顔料Pigment Yellow 139 またはPigment Yellow 173; フタロシアニン顔料、特に、Colour Index 顔料 Pigment Blue 15, Pigment Blue 15:1, Pigment Blue 15:2, Pigment Blue 15:3, Pigment Blue 15:4, Pigment Blue 15:6, Pigment Blue 16, Pigment Green 7 または Pigment Green 36; アンタントロン、アントラキノン、キナクリドン、ジオキサジン、インダントロン、ペリレン、ペリノン、およびチオインジゴ顔料、特に、Colour Index 顔料 Pigment Yellow 196, Pigment Red 122, Pigment Red 149, Pigment Red 168, Pigment Red 177, Pigment Red 179, Pigment Red 181, Pigment Red 207, Pigment Red 209, Pigment Red 263, Pigment Blue 60, Pigment Violet 19, Pigment Violet 23 またはPigment Orange 43; トリアリールカルボニウム顔料、特に、Colour Index 顔料 Pigment Red 169, Pigment Blue 56 またはPigment Blue 61; ジケトピロロピロール顔料、特に、Colour Index 顔料 Pigment Red 254, Pigment Red 255, Pigment Red 264, Pigment Red 270, Pigment Red 272, Pigment Orange 71, Pigment Orange 73, およびPigment Orange 81。